(57)【要約】  空調システムは、記憶部（９１）、及び空調制御部（９４）を備える。記憶部（９１）に、建物（１）内で浴室（１０）に移動するためのルートが記憶される。空調制御部（９４）は、特定の開始条件が成立すると、上記ルート上の第１区画に、第１区画に隣接する第２区画の暖気を送るための空調制御を開始する。例えば、上記ルート上の第２区画に、暖房機器（７２）が設けられる。また、第２区画から第１区画に空気を送るための送風機（５２）が備えられる。空調制御部（９４）は、開始条件が成立すると、送風機（５２）を駆動する。
2020235098.tif 000002
【特許請求の範囲】
【請求項１】
建物内で浴室に移動するためのルートが記憶された記憶手段と、
特定の開始条件が成立すると、前記ルート上の第１区画に、前記第１区画に隣接する第２区画の暖気を送るための空調制御を開始する空調制御手段と、
を備えた空調システム。
【請求項２】
前記ルート上の前記第２区画に設けられた第１暖房機器と、
前記第２区画から前記第１区画に空気を送るための第１送風機と、
を更に備え、
前記空調制御手段は、前記開始条件が成立すると、前記第１送風機を駆動する請求項１に記載の空調システム。
【請求項３】
前記第１区画は前記建物内で下階に延び、
前記第１送風機は、前記第１区画に斜め下向きに空気を送る請求項２に記載の空調システム。
【請求項４】
前記ルート上の第３区画の空気を前記建物の外に送るための第２送風機を更に備え、
前記第３区画は、前記第１区画に隣接し、
前記空調制御手段は、前記開始条件が成立すると、前記第２送風機を駆動する請求項２又は請求項３に記載の空調システム。
【請求項５】
前記ルート上の第４区画の空気を前記建物の外に送るための第３送風機を更に備え、
前記第４区画は、前記第２区画に隣接し、
前記空調制御手段は、前記開始条件が成立すると、前記第３送風機を駆動する請求項２から請求項４の何れか一項に記載の空調システム。
【請求項６】
前記ルート上の前記第２区画に設けられた第１暖房機器と、
前記第１区画の空気を前記建物の外に送るための第１送風機と、
を更に備え、
前記空調制御手段は、前記開始条件が成立すると、前記第１送風機を駆動する請求項１に記載の空調システム。
【請求項７】
前記ルートの始点は、前記第２区画である請求項１から請求項６の何れか一項に記載の空調システム。
【請求項８】
前記ルート上にない第５区画に設けられた第２暖房機器と、
前記第５区画から前記ルート上の第６区画に空気を送るための第４送風機と、
を更に備え、
前記第６区画は、前記第５区画に隣接し、
前記空調制御手段は、前記開始条件が成立すると、前記第４送風機を駆動する請求項２から請求項７の何れか一項に記載の空調システム。
【請求項９】
前記ルート上にない前記第２区画に設けられた第１暖房機器と、
前記第２区画から前記第１区画に空気を送るための第１送風機と、
を更に備え、
前記空調制御手段は、前記開始条件が成立すると、前記第１送風機を駆動する請求項１に記載の空調システム。
【請求項１０】
第５区画に設けられた第２暖房機器と、
前記第５区画と前記ルート上の第６区画との間の出入口に設けられたドアと、
前記ドアが開いていることを検出する第１検出手段と、
を更に備え、
前記第６区画は、前記第５区画に隣接し、
前記空調制御手段は、前記開始条件が成立すると、前記ドアが開いていることを前記第１検出手段が検出していれば前記第２暖房機器から前記出入口に向けて暖気を送る請求項２から請求項７の何れか一項に記載の空調システム。
【請求項１１】
前記第２区画に設けられた第１暖房機器と、
前記第１区画と前記第２区画との間の出入口に設けられたドアと、
前記ドアが開いていることを検出する第１検出手段と、
を更に備え、
前記空調制御手段は、前記開始条件が成立すると、前記ドアが開いていることを前記第１検出手段が検出していれば前記第１暖房機器から前記出入口に向けて暖気を送る請求項１に記載の空調システム。
【請求項１２】
前記開始条件が成立した後、人がいる位置を検出する第２検出手段と、
前記第２検出手段が検出した位置に基づいて、前記記憶手段に記憶された前記ルートを補正する補正手段と、
を更に備えた請求項１から請求項１１の何れか一項に記載の空調システム。
【請求項１３】
前記記憶手段に、前記浴室に移動するための前記ルートとして複数の移動ルートが記憶され、
前記開始条件は、特定の端末から開始信号を受信すると成立し、
前記空調制御手段は、開始信号を送信した前記端末の位置に基づいて前記複数の移動ルートの中から１つを選択し、選択した移動ルートに基づいて空調制御を行う請求項１から請求項１２の何れか一項に記載の空調システム。
【請求項１４】
前記開始条件が成立すると、前記浴室内の浴槽に給湯を開始する給湯制御手段を更に備えた請求項１から請求項１３の何れか一項に記載の空調システム。
【発明の詳細な説明】
【技術分野】
【０００１】
この発明は、建物内の空調システムに関する。
【背景技術】
【０００２】
特許文献１に、浴室の暖房機器を制御するためのシステムが記載されている。特許文献１に記載されたシステムでは、居間に温度センサが設けられる。ヒートショックを防止するための運転モードが選択されると、浴室の温度が上記温度センサによって検出された温度になるように暖房機器が制御される。
【先行技術文献】
【特許文献】
【０００３】
【特許文献１】日本特開２００４−２９３８４７号公報
【発明の概要】
【発明が解決しようとする課題】
【０００４】
特許文献１に記載されたシステムでは、浴室の温度しか考慮されていない。しかし、冬場には、浴室以外の場所も寒くなる。従来では、浴室に向かう際に寒い場所を通らなければならず、ヒートショック症状が生じ易いといった問題があった。【０００５】
この発明は、上述のような課題を解決するためになされた。この発明の目的は、浴室に向かう際に通る場所の温度差を小さくし、ヒートショック症状を抑制することができる空調システムを提供することである。
【課題を解決するための手段】
【０００６】
この発明に係る空調システムは、建物内で浴室に移動するためのルートが記憶された記憶手段と、特定の開始条件が成立すると、ルート上の第１区画に、第１区画に隣接する第２区画の暖気を送るための空調制御を開始する空調制御手段と、を備える。
【発明の効果】
【０００７】
この発明に係る空調システムでは、記憶手段に、建物内で浴室に移動するためのルートが記憶される。空調制御手段は、特定の開始条件が成立すると、上記ルート上の第１区画に、第１区画に隣接する第２区画の暖気を送るための空調制御を開始する。この発明に係る空調システムであれば、入浴時に通る場所の温度差を小さくし、ヒートショックを抑制できる。
【図面の簡単な説明】
【０００８】
【図１】実施の形態１における空調システムの例を示す図である。
【図２】図１に示す空調システムの機能を説明するための図である。
【図３】実施の形態１における空調システムの動作例を示すフローチャートである。
【図４】空調システムに備えられた各機器の動作を説明するための図である。
【図５】入浴準備のための制御が行われている状態を示す図である。
【図６】人の移動に応じた空調制御が行われている状態を示す図である
【図７】制御装置が有する他の機能を説明するための図である。
【図８】空調システムの他の機能を説明するための図である。
【図９】空調システムの他の機能を説明するための図である。
【図１０】空調システムの他の機能を説明するための図である。
【図１１】浴室を温める他の方法を説明するための図である。
【図１２】浴室を温める他の方法を説明するための図である。
【図１３】制御装置のハードウェア資源の例を示す図である。
【図１４】制御装置のハードウェア資源の他の例を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、実施の形態１における空調システムの例を示す図である。図２は、図１に示す空調システムの機能を説明するための図である。
【００１１】
図１は、報知システムが建物１に備えられた例を示す。建物１に複数の区画が形成される。図１に示す例では、建物１に、浴室１０、脱衣室２０、廊下３０、居室４０、階段室５０、トイレ６０、個室７０、及びクローゼット８０が形成される。
【００１２】
浴室１０、脱衣室２０、廊下３０、及び居室４０は、建物１の１階に形成された区画の例である。階段室５０の一部、トイレ６０、個室７０、及びクローゼット８０は、建物１の２階に形成された区画の例である。建物１に、図１に示された区画以外の区画が形成されても良い。図１に示された区画の一部が建物１に形成されていなくても良い。建物１は、一階建てでも良い。
【００１３】
浴室１０に、浴槽１１が設けられる。浴槽１１には、建物１の外に設けられた給湯機１３からお湯が供給される。また、浴室１０に、暖房機器１２が設けられる。暖房機器１２は、浴室１０に設けられた空気調和機の一機能として備えられても良い。浴室１０に設けられた空気調和機は、暖房運転に加え、除湿運転、送風運転及び冷房運転といった他の運転を行っても良い。暖房機器１２は、浴室１０に温風を供給する。暖房機器１２は、換気機能を備えても良い。暖房機器１２は、制御装置９０によって制御される。
【００１４】
脱衣室２０は、浴室１０に隣接する。脱衣室２０と浴室１０とは、ドア１４によって仕切られる。脱衣室２０に、暖房機器２１、及び換気扇２２が設けられる。暖房機器２１は、脱衣室２０に設けられた空気調和機の一機能として備えられても良い。脱衣室２０に設けられた空気調和機は、暖房運転に加え、除湿運転、送風運転及び冷房運転といった他の運転を行っても良い。暖房機器２１は、脱衣室２０に温風を供給する。暖房機器２１は、換気機能を備えても良い。暖房機器２１は、制御装置９０によって制御される。
【００１５】
換気扇２２は、脱衣室２０に設けられた送風機の一例である。換気扇２２が駆動すると、脱衣室２０の空気が建物１の外に排出される。換気扇２２は、制御装置９０によって制御される。
【００１６】
廊下３０は、脱衣室２０に隣接する。廊下３０と脱衣室２０とは、ドア２３によって仕切られる。廊下３０と脱衣室２０との間に、送風機３１が設けられる。例えば、送風機３１が駆動すると、脱衣室２０から廊下３０に空気が送られる。送風機３１の送風方向は切り換え可能であっても良い。送風機３１の送風方向が切り換えられると、送風機３１が駆動すれば廊下３０から脱衣室２０に空気が送られる。
【００１７】
廊下３０は、居室４０にも隣接する。廊下３０と居室４０とは、ドア４２によって仕切られる。廊下３０と居室４０との間に、送風機３２が設けられる。例えば、送風機３２が駆動すると、居室４０から廊下３０に空気が送られる。送風機３２の送風方向は切り換え可能であっても良い。送風機３２の送風方向が切り換えられると、送風機３２が駆動すれば廊下３０から居室４０に空気が送られる。
【００１８】
廊下３０は、階段５１を介して２階の階段室５０に繋がる。
【００１９】
居室４０に、暖房機器４１が設けられる。暖房機器４１は、居室４０に設けられた空気調和機の一機能として備えられても良い。居室４０に設けられた空気調和機は、暖房運転に加え、冷房運転及び除湿運転といった他の運転を行っても良い。暖房機器４１は、居室４０に温風を供給する。他の例として、暖房機器４１は、居室４０に設けられた床暖房であっても良い。暖房機器４１は、制御装置９０によって制御される。
【００２０】
上述したように、階段室５０は、１階の廊下３０に繋がる。このため、階段室５０は、下階に延びるように形成される。
【００２１】
トイレ６０は、階段室５０に隣接する。トイレ６０に、換気扇６１が設けられる。換気扇６１は、トイレ６０に設けられた送風機の一例である。換気扇６１が駆動すると、トイレ６０の空気が建物１の外に排出される。換気扇６１は、制御装置９０によって制御される。
【００２２】
階段室５０は、個室７０にも隣接する。階段室５０と個室７０とは、ドア７１によって仕切られる。階段室５０と個室７０との間に、送風機５２が設けられる。例えば、送風機５２が駆動すると、個室７０から階段室５０に空気が送られる。送風機５２の送風方向は切り換え可能であっても良い。送風機５２の送風方向が切り換えられると、送風機５２が駆動すれば階段室５０から個室７０に空気が送られる。
【００２３】
個室７０に、暖房機器７２が設けられる。暖房機器７２は、個室７０に設けられた空気調和機の一機能として備えられても良い。個室７０に設けられた空気調和機は、暖房運転に加え、冷房運転及び除湿運転といった他の運転を行っても良い。暖房機器７２は、個室７０に温風を供給する。他の例として、暖房機器７２は、個室７０に設けられた床暖房であっても良い。暖房機器７２は、制御装置９０によって制御される。
【００２４】
クローゼット８０は、個室７０に隣接する。クローゼット８０に、換気扇８１が設けられる。換気扇８１は、クローゼット８０に設けられた送風機の一例である。換気扇８１が駆動すると、クローゼット８０の空気が建物１の外に排出される。換気扇８１は、制御装置９０によって制御される。
【００２５】
本実施の形態に示す例では、建物１に形成された各区画に人感センサが設けられる。例えば、人感センサ２ａは、浴室１０に人がいることを検出する。人がいることを人感センサ２ａが検出すると、人感センサ２ａから制御装置９０に検出信号が入力される。例えば、人感センサ２ａは、暖房機器１２に設けられる。人感センサ２ｂは、脱衣室２０に人がいることを検出する。人がいることを人感センサ２ｂが検出すると、人感センサ２ｂから制御装置９０に検出信号が入力される。例えば、人感センサ２ｂは、暖房機器２１に設けられる。人感センサ２ｂは、換気扇２２に設けられても良い。
【００２６】
人感センサ２ｃは、廊下３０に人がいることを検出する。人がいることを人感センサ２ｃが検出すると、人感センサ２ｃから制御装置９０に検出信号が入力される。例えば、人感センサ２ｃは、送風機３１に設けられる。人感センサ２ｃは、送風機３２に設けられても良い。人感センサ２ｄは、居室４０に人がいることを検出する。人がいることを人感センサ２ｄが検出すると、人感センサ２ｄから制御装置９０に検出信号が入力される。例えば、人感センサ２ｄは、暖房機器４１に設けられる。
【００２７】
人感センサ２ｅは、階段室５０に人がいることを検出する。人がいることを人感センサ２ｅが検出すると、人感センサ２ｅから制御装置９０に検出信号が入力される。例えば、人感センサ２ｅは、送風機５２に設けられる。人感センサ２ｆは、トイレ６０に人がいることを検出する。人がいることを人感センサ２ｆが検出すると、人感センサ２ｆから制御装置９０に検出信号が入力される。例えば、人感センサ２ｆは、換気扇６１に設けられる。
【００２８】
人感センサ２ｇは、個室７０に人がいることを検出する。人がいることを人感センサ２ｇが検出すると、人感センサ２ｇから制御装置９０に検出信号が入力される。例えば、人感センサ２ｇは、暖房機器７２に設けられる。人感センサ２ｈは、クローゼット８０に人がいることを検出する。人がいることを人感センサ２ｈが検出すると、人感センサ２ｈから制御装置９０に検出信号が入力される。例えば、人感センサ２ｈは、換気扇８１に設けられる。
【００２９】
本実施の形態に示す例では、建物１に形成された各区画に温度センサが設けられる。例えば、温度センサ３ａは、浴室１０の温度を検出する。温度センサ３ａが検出した温度の情報は、制御装置９０に入力される。例えば、温度センサ３ａは、暖房機器１２に設けられる。温度センサ３ｂは、脱衣室２０の温度を検出する。温度センサ３ｂが検出した温度の情報は、制御装置９０に入力される。例えば、温度センサ３ｂは、暖房機器２１に設けられる。温度センサ３ｂは、換気扇２２に設けられても良い。
【００３０】
温度センサ３ｃは、廊下３０の温度を検出する。温度センサ３ｃが検出した温度の情報は、制御装置９０に入力される。例えば、温度センサ３ｃは、送風機３１に設けられる。温度センサ３ｃは、送風機３２に設けられても良い。温度センサ３ｄは、居室４０の温度を検出する。温度センサ３ｄが検出した温度の情報は、制御装置９０に入力される。例えば、温度センサ３ｄは、暖房機器４１に設けられる。
【００３１】
温度センサ３ｅは、階段室５０の温度を検出する。温度センサ３ｅが検出した温度の情報は、制御装置９０に入力される。例えば、温度センサ３ｅは、送風機５２に設けられる。温度センサ３ｆは、トイレ６０の温度を検出する。温度センサ３ｆが検出した温度の情報は、制御装置９０に入力される。例えば、温度センサ３ｆは、換気扇６１に設けられる。
【００３２】
温度センサ３ｇは、個室７０の温度を検出する。温度センサ３ｇが検出した温度の情報は、制御装置９０に入力される。例えば、温度センサ３ｇは、暖房機器７２に設けられる。温度センサ３ｈは、クローゼット８０の温度を検出する。温度センサ３ｈが検出した温度の情報は、制御装置９０に入力される。例えば、温度センサ３ｈは、換気扇８１に設けられる。
【００３３】
人感センサと温度センサの代わりに、非接触型のバイタルセンサが備えられても良い。例えば、人感センサ２ａ及び温度センサ３ａの代わりに、浴室１０にバイタルセンサが設けられる。他の各区画にもバイタルセンサが設けられる。
【００３４】
制御装置９０は、例えば記憶部９１、条件判定部９２、給湯制御部９３、及び空調制御部９４を備える。図１は、制御装置９０が居室４０に設けられる例を示す。制御装置９０は、建物１内のどこに設けられても良い。
【００３５】
記憶部９１に移動ルートＡが記憶される。移動ルートＡは、人が建物１内で特定の区画から浴室１０に移動するためのルートである。移動ルートＡは、住人Ｘの生活習慣等に基づいて予め設定される。例えば、住人Ｘが入浴前にトイレ６０に入ることを習慣にしていれば、移動ルートＡにトイレ６０が含まれる。住人Ｘが入浴前に着替えを取りにクローゼット８０に入ることを習慣にしていれば、移動ルートＡにクローゼット８０が含まれる。住人Ｘが入浴後にバスローブを着て個室７０に戻るために入浴前にクローゼット８０に入らないことを習慣にしていれば、移動ルートＡにクローゼット８０は含まれない。
【００３６】
以下に、図３から図６も参照し、本システムの機能について詳しく説明する。図３は、実施の形態１における空調システムの動作例を示すフローチャートである。図４は、空調システムに備えられた各機器の動作を説明するための図である。図４では、クローゼット８０のことをＷＩＣと表記している。
【００３７】
以下においては、個室７０、クローゼット８０、個室７０、階段室５０、トイレ６０、階段室５０、廊下３０、脱衣室２０、浴室１０の順に人が移動するルートが移動ルートＡとして記憶部９１に記憶されている例について説明する。この例では、移動ルートＡ上の区画のうち、クローゼット８０、階段室５０、トイレ６０、及び廊下３０に、暖房機器が設けられていない。移動ルートＡ上の区画のうち、個室７０、脱衣室２０、及び浴室１０には暖房機器が設けられている。また、移動ルートＡ上にない居室４０にも暖房機器は設けられている。
【００３８】
Ｓ１０１では、各機器において個別制御が行われる。例えば住人Ｘが個室７０にいれば、暖房機器７２において暖房運転が行われる。暖房機器７２の制御は、他の機器の制御と連動していない。換気扇２２、換気扇６１、及び換気扇８１では、２４時間換気のための制御が行われる。給湯機１３では、給湯準備のための制御が行われる。暖房機器１２が換気機能を備えていれば、暖房機器１２において２４時間換気のための制御が行われても良い。
【００３９】
Ｓ１０１において個別制御が行われている間、条件判定部９２は、特定の開始条件が成立したか否かを判定する（Ｓ１０２）。開始条件は、特定の連携制御を開始するための条件である。連携制御は、ヒートショック症状の抑制を目的とした、記憶部９１に記憶された移動ルートＡ上の区画を暖めるための制御である。
【００４０】
例えば、個室７０にいる住人Ｘは、入浴前に、自分のスマートホンから特定の開始信号を送信する。スマートホンから送信された開始信号は、制御装置９０に入力される。条件判定部９２は、住人Ｘのスマートホンから開始信号が入力されると、開始条件が成立したことを判定する。他の例として、開始条件は、特定の他の端末から開始信号が入力されることによって成立しても良い。例えば、条件判定部９２は、特定のＡＩスピーカから開始信号が入力されると、開始条件が成立したことを判定する。他の例として、開始条件は、現在時刻が予め設定された開始時刻になることによって成立しても良い。
【００４１】
開始条件が成立すると、ヒートショック症状を抑制するための連携制御が開始される（Ｓ１０３）。連携制御では、先ず、入浴準備のための制御が行われる（Ｓ１０４）。
【００４２】
Ｓ１０４において、給湯制御部９３は、給湯機１３から浴槽１１への給湯を開始する。移動ルートＡ上の区画のうち暖房機器が設けられた区画では、暖房機器において暖房運転が開始される。例えば、空調制御部９４は、温度センサ３ａによって検出された温度が基準値より低ければ、暖房機器１２において暖房運転を開始する。これにより、暖房機器１２から浴室１０に温風が供給される。空調制御部９４は、温度センサ３ｂによって検出された温度が基準値より低ければ、暖房機器２１において暖房運転を開始する。これにより、暖房機器２１から脱衣室２０に温風が供給される。空調制御部９４は、脱衣室２０の換気扇２２を停止する。
【００４３】
Ｓ１０４では、移動ルートＡ上の区画のうち暖房機器が設けられていない区画に対し、隣接する区画から暖気を送るための空調制御が行われる。なお、ここでいう暖気とは、暖房機器が設けられていない区画の空気の温度より、隣接する区画の空気の温度の方が高いことを意味する。図５は、入浴準備のための制御が行われている状態を示す図である。
【００４４】
例えば、クローゼット８０は移動ルートＡ上の区画であるが、クローゼット８０に暖房機器は設けられていない。一方、クローゼット８０に隣接する個室７０には暖房機器７２が設けられている。このため、Ｓ１０４では、個室７０の暖気をクローゼット８０に導くための空調制御が行われる。具体的に、空調制御部９４は、温度センサ３ｈによって検出された温度が基準値より低ければ、換気扇８１を駆動する。換気扇８１が駆動すると、クローゼット８０の空気が建物１の外に送られる。この時、空調制御部９４は、換気扇８１の回転数を上げることによって送風量を増加させても良い。これにより、個室７０の暖気がクローゼット８０に取り込まれ、個室７０とクローゼット８０との温度差を小さくすることができる。
【００４５】
同様に、階段室５０は移動ルートＡ上の区画であるが、階段室５０に暖房機器は設けられていない。このため、Ｓ１０４では、個室７０の暖気を階段室５０に導くための空調制御が行われる。空調制御部９４は、温度センサ３ｅによって検出された温度が基準値より低ければ、送風機５２を駆動する。送風機５２が駆動すると、個室７０の空気が階段室５０に送られる。これにより、個室７０の暖気が階段室５０に取り込まれ、個室７０と階段室５０との温度差を小さくすることができる。
【００４６】
上述したように、階段室５０は、下階に延びる。このため、送風機５２は、個室７０の暖気を階段室５０に対して斜め下向きに送るように送風方向が設定される。暖気は上に集まるため、上階から下階に対して斜め下向きに空気を送ることにより、階段室５０内の温度差を効率的に小さくすることができる。
【００４７】
同様に、トイレ６０は移動ルートＡ上の区画であるが、トイレ６０に暖房機器は設けられていない。トイレ６０に隣接する階段室５０にも暖房機器は設けられていないが、階段室５０には個室７０の暖気が取り込まれる。このため、Ｓ１０４では、階段室５０の暖気をトイレ６０に導くための空調制御が行われる。空調制御部９４は、温度センサ３ｆによって検出された温度が基準値より低ければ、換気扇６１を駆動する。換気扇６１が駆動すると、トイレ６０の空気が建物１の外に送られる。この時、空調制御部９４は、換気扇６１の回転数を上げることによって送風量を増加させても良い。これにより、階段室５０の暖気がトイレ６０に取り込まれ、階段室５０とトイレ６０との温度差を小さくすることができる。
【００４８】
同様に、廊下３０は移動ルートＡ上の区画であるが、廊下３０に暖房機器は設けられていない。一方、廊下３０に隣接する脱衣室２０には暖房機器２１が設けられている。このため、Ｓ１０４では、脱衣室２０の暖気を廊下３０に導くための空調制御が行われる。空調制御部９４は、温度センサ３ｃによって検出された温度が基準値より低ければ、送風機３１を駆動する。送風機３１が駆動すると、脱衣室２０の空気が廊下３０に送られる。これにより、脱衣室２０の暖気が廊下３０に取り込まれ、脱衣室２０と廊下３０との温度差を小さくすることができる。
【００４９】
Ｓ１０４の制御が開始されると、制御装置９０では、住人Ｘが移動を開始したか否かが判定される（Ｓ１０５）。制御装置９０は、特定のタイミングで入浴を促すための報知を行っても良い。例えば、Ｓ１０４の制御が開始されてから一定時間が経過すると、上記報知が行われる。他の例として、浴槽１１への一定量の給湯が行われ、且つ移動ルートＡ上の全ての区画で温度が基準値以上になると、上記報知が行われる。
【００５０】
個室７０にいた住人Ｘがクローゼット８０に移動すると、Ｓ１０５でＹｅｓと判定される。即ち、クローゼット８０に人がいることを人感センサ２ｈが検出すると、Ｓ１０５でＹｅｓと判定される。Ｓ１０５でＹｅｓと判定されると、住人Ｘの移動に応じた空調制御が行われる（Ｓ１０６）。図６は、人の移動に応じた空調制御が行われている状態を示す図である。
【００５１】
一例として、Ｓ１０６では、移動する住人Ｘに風が直接当たることを抑制するように各機器が制御される。特に、脱衣室２０では衣服を脱ぐため、住人Ｘは空気の流れによって不快感を覚え易い。例えば、空調制御部９４は、クローゼット８０に人がいることを人感センサ２ｈが検出すると、換気扇８１を停止する。その後、空調制御部９４は、トイレ６０に人がいることを人感センサ２ｆが検出すると、換気扇６１を停止する。その後、空調制御部９４は、階段室５０に人がいることを人感センサ２ｅが検出すると、送風機５２を停止する。
【００５２】
その後、空調制御部９４は、廊下３０に人がいることを人感センサ２ｃが検出すると、送風機３１を停止する。その後、空調制御部９４は、脱衣室２０に人がいることを人感センサ２ｂが検出すると、暖房機器２１を停止する。
【００５３】
Ｓ１０６では、空調制御部９４は、換気扇８１を停止した後に人感センサ２ｇから検出信号が入力されると、換気扇８１に対して２４時間換気のための制御を開始しても良い。同様に、空調制御部９４は、換気扇６１を停止した後に人感センサ２ｅから検出信号が入力されると、換気扇６１に対して２４時間換気のための制御を開始しても良い。
【００５４】
Ｓ１０６の制御が開始されると、制御装置９０では、住人Ｘが浴室１０に入ったか否かが判定される（Ｓ１０７）。浴室１０に人がいることを人感センサ２ａが検出すると、Ｓ１０７でＹｅｓと判定される。Ｓ１０７でＹｅｓと判定されると、入浴者の負担を軽減するための空調制御が行われる（Ｓ１０８）。
【００５５】
Ｓ１０８において、空調制御部９４は、浴室１０の暖房機器１２を停止する。また、空調制御部９４は、住人Ｘが浴室１０から出た時に体が冷えることを防止するため、脱衣室２０の暖房機器２１において暖房運転を開始する。
【００５６】
本実施の形態に示す例では、記憶部９１に、移動ルートＡに加え移動ルートＢが更に記憶される。移動ルートＢは、住人Ｘが浴室１０から出た後に建物１内で移動するためのルートである。移動ルートＢは、住人Ｘの生活習慣等に基づいて予め設定される。例えば、住人Ｘが浴室１０から出た後に居室４０で寛ぐことを習慣にしていれば、移動ルートＢに居室４０が含まれる。以下においては、浴室１０から出た後、脱衣室２０、廊下３０、居室４０、廊下３０、階段室５０、個室７０の順に人が移動するルートが移動ルートＢとして記憶部９１に記憶されている例について説明する。記憶部９１に、居室４０で寛ぐ時間が移動ルートＢに紐付けて記憶されていても良い。
【００５７】
Ｓ１０８の制御が開始されると、制御装置９０では、住人Ｘが浴室１０から出たか否かが判定される（Ｓ１０９）。Ｓ１０８の制御が開始された後に脱衣室２０に人がいることを人感センサ２ｂが検出すると、Ｓ１０９でＹｅｓと判定される。Ｓ１０９でＹｅｓと判定されると、湯上り後の準備のための空調制御が行われる（Ｓ１１０）。
【００５８】
Ｓ１１０において、空調制御部９４は、脱衣室２０の暖房機器２１を停止する。移動ルートＢ上の脱衣室２０以外の区画のうち暖房機器が設けられた区画では、暖房機器において暖房運転が開始される。例えば、空調制御部９４は、温度センサ３ｄによって検出された温度が基準値より低ければ、暖房機器４１において暖房運転を開始する。これにより、暖房機器４１から居室４０に温風が供給される。
【００５９】
Ｓ１１０では、移動ルートＢ上の区画のうち暖房機器が設けられていない区画に対し、隣接する区画から暖気を送るための空調制御が行われる。例えば、空調制御部９４は、温度センサ３ｃによって検出された温度が基準値より低ければ、送風機３１を駆動する。これにより、脱衣室２０の暖気を廊下３０に送り、脱衣室２０と廊下３０との温度差を小さくする。また、空調制御部９４は、温度センサ３ｅによって検出された温度が基準値より低ければ、送風機５２を駆動する。これにより、個室７０の暖気を階段室５０に送り、個室７０と階段室５０との温度差を小さくする。
【００６０】
Ｓ１１０の制御が開始されると、制御装置９０では、住人Ｘが脱衣室２０から出たか否かが判定される（Ｓ１１１）。Ｓ１１０の制御が開始された後に廊下３０に人がいることを人感センサ２ｃが検出すると、Ｓ１１１でＹｅｓと判定される。Ｓ１１１でＹｅｓと判定されると、住人Ｘの移動に応じた空調制御が行われる（Ｓ１１２）。例えば、Ｓ１１２では、Ｓ１０６で行われた制御と同様に、移動する住人Ｘに風が直接当たることを抑制するように各機器が制御される。
【００６１】
本実施の形態に示す例であれば、住人Ｘが浴室１０に向かう際に通る場所の温度差を小さくすることができ、ヒートショック症状を抑制することができる。特に、本実施の形態に示す例であれば、暖房機器が設けられていない区画に暖気を送ることができる。このため、本実施の形態に示す空調システムは、全館空調が行われていない既設の建物にも適用できる。なお、全館空調の建物においても一部の区画の温度が他の区画の温度より低い場合がある。このため、全館空調が行われている建物に、本実施の形態に示す空調システムを適用しても一定の効果は期待できる。
【００６２】
本実施の形態に示す例では、記憶部９１に記憶された移動ルートＡに基づいて、ヒートショック症状を抑制するための連携制御が行われる。移動ルートＡは、例えば、住人Ｘの生活習慣に基づいて設定される。このため、本実施の形態に示す例であれば、住人Ｘの生活習慣に合わせた適切な空調制御が可能となる。
【００６３】
移動ルートＡに関しては、住人Ｘの滞在時間を区画に紐付けて記憶させても良い。例えば、個室７０を出た住人Ｘが入浴前に居室４０で１５分程度寛ぐことを習慣にしている場合、空調制御部９４は、住人Ｘが居室４０に１５分滞在することも考慮してＳ１０４の制御を実施する。
【００６４】
本実施の形態に示す例を応用し、ヒートショック症状の抑制に加え、ヒートショックプロテインの増加も目的とする連携制御を実現しても良い。
【００６５】
本実施の形態では、住人Ｘが入浴する際に連携制御が行われる例について説明した。他の例として、住人Ｘが浴槽を掃除する際、及び住人Ｘが早朝に洗顔する際に上述したような連携制御が行われても良い。
【００６６】
以下に、本システムが採用可能な他の機能について説明する。本システムは、以下に示す複数の機能を組み合わせて採用しても良い。
【００６７】
図２に示すように、制御装置９０は、ドア検出部９５を更に備えても良い。図７は、制御装置９０が有する他の機能を説明するための図である。図７に示す例では、図５に示す例のように、廊下３０と脱衣室２０との間に送風機３１が備えられていない。このため、図７に示す例では、Ｓ１０４において、脱衣室２０の暖気を送風機３１によって廊下３０に送ることはできない。
【００６８】
ドア検出部９５は、廊下３０と脱衣室２０との間の出入口に設けられたドア２３が開いていることを検出する。空調制御部９４は、Ｓ１０４において、ドア２３が開いていることがドア検出部９５によって検出されると、脱衣室２０の暖房機器２１から上記出入口に向かって暖気が送られるように暖房機器２１の風量及び風向を制御する。これにより、脱衣室２０から廊下３０に暖気を送ることができ、脱衣室２０と廊下３０との温度差を小さくすることができる。
【００６９】
図８は、空調システムの他の機能を説明するための図である。図８に示す例では、図５に示す例と異なり、居室４０に住人Ｙがいる。このため、Ｓ１０１において、暖房機器４１では暖房運転が行われる。
【００７０】
図８は、Ｓ１０４において、移動ルートＡ上の区画ではない居室４０の暖気を、移動ルートＡ上の区画である廊下３０に送る例を示す。即ち、Ｓ１０４において、空調制御部９４は、温度センサ３ｃによって検出された温度が基準値より低ければ、送風機３２を駆動する。送風機３２が駆動すると、居室４０の空気が廊下３０に送られる。これにより、居室４０の暖気を廊下３０に取り込むことができ、脱衣室２０と廊下３０との温度差を小さくすることができる。
【００７１】
図８に示す例において、ドア検出部９５の機能を利用しても良い。例えば、ドア検出部９５は、居室４０と廊下３０との間の出入口に設けられたドア４２が開いていることを検出する。空調制御部９４は、Ｓ１０４において、ドア４２が開いていることがドア検出部９５によって検出されると、居室４０の暖房機器４１から上記出入口に向かって暖気が送られるように暖房機器４１の風量及び風向を制御する。これにより、廊下３０と居室４０との間に送風機３２が備えられていない場合でも、居室４０の暖気を廊下３０に送ることができる。
【００７２】
他の例として、住人Ｙが住人Ｘに続けて入浴する場合を考える。例えば、住人Ｙは、住人Ｘが入浴している時に、自分のスマートホンから特定の開始信号を送信する。これにより、住人Ｙに関し、Ｓ１０２において開始条件が成立する。記憶部９１に、住人Ｙに関する移動ルートＡが予め記憶される。かかる場合、制御装置９０は、住人Ｘが脱衣室２０から出ることによってＳ１１１においてＹｅｓと判定されると、住人Ｙに関して、ヒートショック症状を抑制するための連携制御を開始する（Ｓ１０３）。この時、給湯制御部９３は、Ｓ１０４において給湯機１３による追い炊きを実施しても良い。
【００７３】
図２に示すように、制御装置９０は、位置検出部９６、及び補正部９７を更に備えても良い。位置検出部９６は、人感センサ２ａ〜２ｈから入力される検出信号に基づいて、人の位置を検出する。例えば、Ｓ１０２で開始条件が成立すると、位置検出部９６は位置検出を開始する。位置検出部９６による位置検出機能により、開始条件が成立した後に人が実際にどのように移動したのかを特定することができる。補正部９７は、位置検出部９６によって検出された位置に基づいて、記憶部９１に記憶された移動ルートＡを補正する。
【００７４】
この例であれば、記憶部９１に記憶されている移動ルートＡを、人が実際に移動したルートに合わせて補正することができる。記憶部９１に移動ルートＢが記憶されている場合、補正部９７は、Ｓ１１１の後に位置検出部９６が検出した位置に基づいて移動ルートＢを補正しても良い。
【００７５】
他の例として、記憶部９１に複数の移動ルートＡが記憶されても良い。例えば、Ｓ１０２で開始条件が成立すると、制御装置９０では、記憶部９１に記憶された複数の移動ルートＡの中から適切な１つが選択される。そして、選択された移動ルートＡに基づいて、ヒートショック症状を抑制するための連携制御が開始される。例えば、特定の端末から開始信号が入力されることによって開始条件が成立した場合は、その開始信号を送信した端末の位置に基づいて１つの移動ルートＡが選択される。一例として、当該端末の位置を含む区画が始点である移動ルートＡが選択される。
【００７６】
この機能を応用すれば、例えば外出先から開始信号を送信することによって開始条件を成立させることも可能である。開始信号を送信した端末が建物１の外にある場合、制御装置９０では、玄関を含む区画が始点である移動ルートＡが選択される。そして、選択された移動ルートＡに基づいて、ヒートショック症状を抑制するための連携制御が開始される。
【００７７】
本実施の形態では、温度センサ３ａ〜３ｈによって検出された温度を利用して空調制御を行う例について説明した。本システムが温度センサを備えていない場合は、例えば季節に応じてヒートショック症状を抑制するための連携制御を行っても良い。他の例として、連携制御を停止するための特定の情報が入力されない限り、ヒートショック症状を抑制するための連携制御が行われても良い。
【００７８】
本実施の形態では、換気扇６１を駆動することによって階段室５０の暖気をトイレ６０に取り込む例について説明した。図９は、空調システムの他の機能を説明するための図である。図９に示す例では、階段室５０とトイレ６０との間に送風機５３が設けられる。た例を示す。送風機５３は、制御装置９０によって制御される。図９に示す例では、階段室５０の暖気をトイレ６０に取り込むために、送風機５３が駆動される。これにより、階段室５０の暖気をトイレ６０に効率的に取り込むことができる。
【００７９】
本実施の形態では、送風機３１の送風方向が切り換え可能である例について説明した。送風機３１は、その送風角度が上下に調整可能であっても良い。図１０は、空調システムの他の機能を説明するための図である。図１０は、送風機３１からの風向きが、上向き、横向き、及び下向きに切り換え可能である例を示す。
【００８０】
例えば、空調制御部９４は、Ｓ１０４において人がいることを人感センサ２ｃが検出していなければ、送風機３１から下向きに風を送る。空調制御部９４は、温度センサ３ｃによって検出された温度が基準値に達する前に人がいることを人感センサ２ｃが検出すると、送風機３１から横向き或いは上向きに風を送る。これにより、人に風が直接当たることを抑制する。空調制御部９４は、Ｓ１０６において、人がいることを人感センサ２ｃが検出した直後に送風機３１を停止させなくても良い。
【００８１】
同様に、送風機３２は、その送風角度が上下に調整可能であっても良い。送風機５２は、その送風角度が上下に調整可能であっても良い。例えば、居室４０の暖気を廊下３０に送る際に、送風機３２に対して上記制御と同様の制御が行われても良い。
【００８２】
なお、送風機３２等の送風方向の切り換えは、季節に応じて行われても良い。例えば、廊下３０に日差しが入らない場合は、夏場に、送風機３２によって廊下３０の冷気を脱衣室２０に送っても良い。夏場は送風機３２からの風向きを上向きに設定し、冬場は下向きに設定しても良い。
【００８３】
本実施の形態では、浴室１０を温めるために暖房機器１２のみを使用する例について説明した。これは一例である。図１１は、浴室１０を温める他の方法を説明するための図である。図１１に示す例では、浴室１０自体が特定の断熱性能を有する。浴室１０が特定の断熱性能を有する場合、浴槽１１に蓋をせずに給湯を行うことによって浴室１０を温めても良い。
【００８４】
図１２は、浴室１０を温める他の方法を説明するための図である。図１２に示す例では、シャワーヘッド１５から浴槽１１にお湯が供給される。図１２に示す例では、通常の給湯を行いながら、補助的にシャワーヘッド１５から浴槽１１にお湯を供給しても良い。通常の給湯を行わず、浴槽１１へのお湯の供給をシャワーヘッド１５のみから行っても良い。図１２に示す例であれば、浴室１０に充満させた湯気により、リラックス効果及び肌へのうるおい効果が期待できる。このため、図１２に示す例は半身浴に適している。
【００８５】
他の例として、浴室１０にミストを供給する装置が設けられている場合は、暖房機器１２によって浴室１０を温める際に、当該装置からミストを供給しても良い。浴室１０へのミストの供給は、図１１に示す例及び図１２に示す例において行っても良い。この例であれば、浴室１０に充満させたミストにより、リラックス効果及び肌へのうるおい効果が期待できる。このため、本例は半身浴に適している。
【００８６】
本実施の形態において、符号９１〜９７に示す各部は、制御装置９０が有する機能を示す。図１３は、制御装置９０のハードウェア資源の例を示す図である。制御装置９０は、ハードウェア資源として、例えばプロセッサ１０１とメモリ１０２とを含む処理回路１００を備える。記憶部９１の機能は、例えばメモリ１０２によって実現される。制御装置９０は、メモリ１０２に記憶されたプログラムをプロセッサ１０１によって実行することにより、符号２２〜９７に示す各部の機能を実現する。
【００８７】
プロセッサ１０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ１０２として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００８８】
図１４は、制御装置９０のハードウェア資源の他の例を示す図である。図１４に示す例では、制御装置９０は、例えばプロセッサ１０１、メモリ１０２、及び専用ハードウェア１０３を含む処理回路１００を備える。図１４は、制御装置９０が有する機能の一部を専用ハードウェア１０３によって実現する例を示す。制御装置９０が有する機能の全部を専用ハードウェア１０３によって実現しても良い。専用ハードウェア１０３として、単一回路、複合回路、プログラム化したプロセッサ、並列プログラム化したプロセッサ、ＡＳＩＣ、ＦＰＧＡ、又はこれらの組み合わせを採用できる。
【産業上の利用可能性】
【００８９】
この発明に係る空調システムは、ヒートショック症状を抑制するために利用できる。更に、この発明に係る空調システムは、ヒートショックプロテイン効果を向上させるため、熱中症を抑制させるため、節電のため、或いは快適性を向上させるためにも利用できる。既設の建物の断熱性能が十分ではない場合、或いは建物に備えられた既設の設備の暖房性能が十分ではない場合は、建物に新規の暖房機器を追加することによって本空調システムを構築しても良い。
【符号の説明】
【００９０】
１  建物、  ２ａ〜２ｈ  人感センサ、  ３ａ〜３ｈ  温度センサ、  １０  浴室、  １１  浴槽、  １２  暖房機器、  １３  給湯機、  １４  ドア、  １５  シャワーヘッド、  ２０  脱衣室、  ２１  暖房機器、  ２２  換気扇、  ２３  ドア、  ３０  廊下、  ３１  送風機、  ３２  送風機、  ４０  居室、  ４１  暖房機器、  ４２  ドア、  ５０  階段室、  ５１  階段、  ５２  送風機、  ５３  送風機、  ６０  トイレ、  ６１  換気扇、  ７０  個室、  ７１  ドア、  ７２  暖房機器、  ８０  クローゼット、  ８１  換気扇、  ９０  制御装置、  ９１  記憶部、  ９２  条件判定部、  ９３  給湯制御部、  ９４  空調制御部、  ９５  ドア検出部、  ９６  位置検出部、  ９７  補正部、  １００  処理回路、  １０１  プロセッサ、  １０２  メモリ、  １０３  専用ハードウェア
【図１】
2020235098.tif 000003
【図２】
2020235098.tif 000004
【図３】
2020235098.tif 000005
【図４】
2020235098.tif 000006
【図５】
2020235098.tif 000007
【図６】
2020235098.tif 000008
【図７】
2020235098.tif 000009
【図８】
2020235098.tif 000010
【図９】
2020235098.tif 000011
【図１０】
2020235098.tif 000012
【図１１】
2020235098.tif 000013
【図１２】
2020235098.tif 000014
【図１３】
2020235098.tif 000015
【図１４】
2020235098.tif 000016
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
建物内で浴室に移動するためのルートが記憶された記憶手段と、
特定の開始条件が成立すると、前記ルート上の第１区画に、前記第１区画に隣接する第２区画の暖気を送るための空調制御を開始する空調制御手段と、
前記第２区画に設けられた第１暖房機器と、
前記第１区画と前記第２区画との間の出入口に設けられたドアと、
前記ドアが開いていることを検出する第１検出手段と、
を備え、
前記空調制御手段は、前記開始条件が成立すると、前記ドアが開いていることを前記第１検出手段が検出していれば前記第１暖房機器から前記出入口に向けて暖気を送る空調システム。
【請求項２】
前記開始条件が成立した後、人がいる位置を検出する第２検出手段と、
前記第２検出手段が検出した位置に基づいて、前記記憶手段に記憶された前記ルートを補正する補正手段と、
を更に備えた請求項１に記載の空調システム。
【請求項３】
前記記憶手段に、前記浴室に移動するための前記ルートとして複数の移動ルートが記憶され、
前記開始条件は、特定の端末から開始信号を受信すると成立し、
前記空調制御手段は、開始信号を送信した前記端末の位置に基づいて前記複数の移動ルートの中から１つを選択し、選択した移動ルートに基づいて空調制御を行う請求項１又は請求項２に記載の空調システム。
【請求項４】
前記開始条件が成立すると、前記浴室内の浴槽に給湯を開始する給湯制御手段を更に備えた請求項１から請求項３の何れか一項に記載の空調システム。
【手続補正２】
【補正対象書類名】明細書
【補正対象項目名】０００６
【補正方法】変更
【補正の内容】
【０００６】
この発明に係る空調システムは、建物内で浴室に移動するためのルートが記憶された記憶手段と、特定の開始条件が成立すると、ルート上の第１区画に、第１区画に隣接する第２区画の暖気を送るための空調制御を開始する空調制御手段と、第２区画に設けられた第１暖房機器と、第１区画と第２区画との間の出入口に設けられたドアと、ドアが開いていることを検出する第１検出手段と、を備える。空調制御手段は、開始条件が成立すると、ドアが開いていることを第１検出手段が検出していれば第１暖房機器から出入口に向けて暖気を送る。
【国際調査報告】
2020235098.tif 000017
2020235098.tif 000018
2020235098.tif 000019
2020235098.tif 000020